(57)【要約】      （修正有）【課題】運搬時等に酒が漏出してしまうのを防ぐことができる竹酒を提供する。【解決手段】竹酒１は、竹の節５、６間に形成される中空部７を有するとともに、中空部と外部とを連通する人工の貫通孔のない状態の竹筒２と、竹筒の中空部に封入された酒３、又は、酒及びスモーク４とで構成される。竹には、成長に必要な導水管として機能する維管束が自然に形成されており、維管束は、竹筒の上下端部の切断面８、９から中空部へと通じる連通路となっている。酒やスモークは、維管束を利用して中空部に封入（注入）される。【選択図】図１
0003225872.tif 000002
【実用新案登録請求の範囲】
【請求項１】
竹の節間に形成される中空部を有するとともに、その中空部と外部とを連通する人工の貫通孔のない状態の竹筒と、
前記竹筒の中空部に封入された酒と、
で構成したことを特徴とする竹酒。
【請求項２】
竹の節間に形成される中空部を有するとともに、その中空部と外部とを連通する人工の貫通孔のない状態の竹筒と、
前記竹筒の中空部に封入された酒と、
前記竹筒の中空部に封入されたスモークと、
で構成したことを特徴とする竹酒。
【請求項３】
竹の節間に形成される中空部を複数有するとともに、それぞれの中空部と外部とを連通する人工の貫通孔のない状態の竹筒と、
前記竹筒の複数の中空部のそれぞれに封入された酒と、
で構成したことを特徴とする竹酒。
【請求項４】
竹の節間に形成される中空部を複数有するとともに、それぞれの中空部と外部とを連通する人工の貫通孔のない状態の竹筒と、
前記竹筒の複数の中空部のそれぞれに封入された酒と、
前記竹筒の複数の中空部のそれぞれに封入されたスモークと、
で構成したことを特徴とする竹酒。
【考案の詳細な説明】
【技術分野】
【０００１】
本考案は、竹の節間に形成される中空部を有する竹筒に酒を封入した竹酒に関するものである。
【背景技術】
【０００２】
竹は、節と節との間に中空部が形成されているために、中空部の上下の節を残して竹を切断することで、竹の節間に中空部を有する竹筒を形成できる。この竹筒は、中空部に酒を注入することで酒の容器として利用できる。
【０００３】
竹筒の中空部に酒を注入した竹酒としては、外部から竹筒の中空部に連通する人工の貫通孔を形成し、貫通孔から酒を注入し、貫通孔に栓をしている（たとえば、特許文献１参照。）。
【先行技術文献】
【特許文献】
【０００４】
【特許文献１】実用新案登録第３１３６０３５号公報
【考案の概要】
【考案が解決しようとする課題】
【０００５】
ところが、上記従来の竹酒では、外部から竹筒の中空部に連通する人工の貫通孔を栓で閉塞させているために、運搬時等に栓が外れて中空部から酒が漏出してしまうおそれがある。
【課題を解決するための手段】
【０００６】
そこで、請求項１に係る本考案では、竹酒において、竹の節間に形成される中空部を有するとともに、その中空部と外部とを連通する人工の貫通孔のない状態の竹筒と、前記竹筒の中空部に封入された酒とで構成することにした。
【０００７】
また、請求項２に係る本考案では、竹酒において、竹の節間に形成される中空部を有するとともに、その中空部と外部とを連通する人工の貫通孔のない状態の竹筒と、前記竹筒の中空部に封入された酒と、前記竹筒の中空部に封入されたスモークとで構成することにした。
【０００８】
また、請求項３に係る本考案では、竹酒において、竹の節間に形成される中空部を複数有するとともに、それぞれの中空部と外部とを連通する人工の貫通孔のない状態の竹筒と、前記竹筒の複数の中空部のそれぞれに封入された酒とで構成することにした。
【０００９】
また、請求項４に係る本考案では、竹酒において、竹の節間に形成される中空部を複数有するとともに、それぞれの中空部と外部とを連通する人工の貫通孔のない状態の竹筒と、前記竹筒の複数の中空部のそれぞれに封入された酒と、前記竹筒の複数の中空部のそれぞれに封入されたスモークとで構成することにした。
【考案の効果】
【００１０】
そして、本考案では、以下に記載する効果を奏する。
【００１１】
すなわち、本考案では、外部と中空部とを連通する人工の貫通孔のない状態の竹筒の中空部に酒が封入されているために、中空部から酒を漏出させずに運搬等をすることができる。
【００１２】
特に、竹筒の中空部に酒とともにスモークを封入することで、中空部の殺菌や酒の風味付けや香り付けを行うことができる。
【００１３】
また、竹の複数の中空部のそれぞれに酒を封入することで、１本の竹筒でより多くの酒を封入することができるとともに、酒を小分けして飲むことができる。
【図面の簡単な説明】
【００１４】
【図１】単一の中空部に酒を封入した竹酒を示す正面図（ａ）、正面断面図（ｂ）。
【図２】複数の中空部に酒を封入した竹酒を示す正面図（ａ）、正面断面図（ｂ）。
【考案を実施するための形態】
【００１５】
以下に、本考案に係る竹酒の具体的な構成について図面を参照しながら説明する。
【００１６】
図１に示すように、竹酒１は、竹筒２の内部に液体の酒３や気体のスモーク４を封入したものである。
【００１７】
竹筒２は、竹に形成された上下に隣接する節5,6の上方及び下方で切断されたものであり、上下の節５と節６との間に中空部７が形成されている。
【００１８】
この竹筒２には、外部から中空部７へと連通する人工的な貫通孔が全く形成されていない。但し、竹には、成長に必要な導水管として機能する維管束が自然に形成されており、この維管束は、竹筒２の上下端部の切断面8,9から中空部７へと通じる連通路となっている。
【００１９】
酒３やスモーク４は、維管束を利用して中空部７に封入（注入）される。たとえば、容器内に竹筒２を載置し、容器内の圧力を下げることで竹筒２の中空部７を減圧し、その後、容器内に酒３やスモーク４を供給するとともに容器内を大気圧とすることで、竹筒２の中空部７の圧力（内圧）よりも高い容器内の圧力（大気圧）によって圧力差を利用して酒３やスモーク４を維管束を介して中空部７へと浸透させることができる。
【００２０】
ここで、酒３やスモーク４は、どのようなものでもよく、酒３のみであってもよく、殺菌や防腐作用等の機能性を有するスモーク４であってもよく、香り付けや味付けできるスモーク４でもよい。
【００２１】
酒３やスモーク４は、中空部７に封入されていればよく、その封入方法はどのようなものであってもよい。また、酒３とスモーク４は、中空部７に同時に注入してもよく、酒３を先に注入した後にスモーク４を注入してもよく、逆に、スモーク４を先に注入した後に酒３を注入してもよく、たとえば、殺菌作用を有するスモーク４を先に注入して竹筒２の中空部７や維管束を殺菌した後に酒３を注入することもできる。
【００２２】
以上に説明したように、上記竹酒１は、竹の節5,6間に形成される中空部７を有するとともに、その中空部７と外部とを連通する人工の貫通孔のない状態の竹筒２と、竹筒２の中空部７に封入された酒３、又は、酒３及びスモーク４とで構成されている。
【００２３】
上記竹酒１では、上下に隣接する節5,6の間に形成される単一の中空部７に酒３やスモーク４を封入した構成となっているが、中空部７が複数あってもよい。
【００２４】
図２に示すように、竹酒11は、竹筒12の内部に液体の酒13や気体のスモーク14を封入している。
【００２５】
竹筒12は、竹に形成された上下に並ぶ節15,10,16のうちの上部の節15の上方と下部の節16の下方で切断されたものであり、上部の節15と中途部の節10との間に第１の中空部17aが形成され、中途部の節10と下部の節16との間に第２の中空部17bが形成されている。
【００２６】
この竹筒12には、外部から中空部17a,17bへと連通する人工的な貫通孔が全く形成されていない。但し、竹には、成長に必要な導水管として機能する維管束が自然に形成されており、この維管束は、竹筒12の上下端部の切断面18,19から中空部17a,17bへと通じる連通路となっている。
【００２７】
酒13やスモーク14は、維管束を利用してそれぞれの中空部17a,17bに封入（注入）される。酒13やスモーク14は、どのようなものでもよく、酒13のみであってもよく、また、封入方法も限定されない。
【００２８】
以上に説明したように、上記竹酒11は、竹の節間15,10,16に形成される中空部17a,17bを複数有するとともに、それぞれの中空部17a,17bと外部とを連通する人工の貫通孔のない状態の竹筒12と、竹筒１２の複数の中空部17a,17bのそれぞれに封入された酒13、又は、酒13及びスモーク14とで構成されている。
【００２９】
そして、上記竹酒1,11では、外部と中空部７,17a,17bとを連通する人工の貫通孔のない状態の竹筒2,12の中空部7,17a,17bに酒3,13が封入されているために、中空部7,17a,17bから酒3,13を漏出させずに運搬等をすることができる。
【００３０】
特に、竹筒2,12の中空部7,17a,17bに酒3,13とともにスモーク4,14を封入することで、中空部7,17a,17bの殺菌や酒の風味付けや香り付けを行うことができる。
【００３１】
また、竹の複数の中空部17a,17bのそれぞれに酒13を封入することで、１本の竹筒12でより多くの酒13を封入することができるとともに、酒13を小分けして飲むことができる。
【符号の説明】
【００３２】
1,11  竹酒
2,12  竹筒
3,13  酒
4,14  スモーク
5,6,10,15,16  節
7,17a,17b  中空部
8,9,18,19  切断面
【図１】
0003225872.tif 000003
【図２】
0003225872.tif 000004